(57)【要約】【課題】簡素な構成により安価に実現され、排水目皿や排水管内に堆積した毛髪などを確実に除去することのできる清掃用具および清掃用具セットが望まれている。【解決手段】清掃用具１は、先端９Ａを折り返されて形成された鉤状線材９，９，９，・・・が多数立設された基材部８を有する髪取り材７と、髪取り材７の基材部８が接着材層１０を介して固着支持されるブラシ基台部３と、ブラシ基台部３に連結された柄部４と、柄部４に連結された把手部５と、を備えて構成されている。清掃用具セットは、片面に多数の刷毛材が植設されたブラシ基台部と、ブラシ基台部に連結された柄部と、柄部に連結された把手部とを備えて成り、ブラシ基台部の毛材植設面とは反対側の面に、輪状に形成されたループ状線材が多数植設されている副清掃用具と、前記の清掃用具１と、から構成されている。【選択図】図２
2015205082.tif 000002
【特許請求の範囲】
【請求項１】
先端を折り返されて形成された鉤状線材が多数立設された基材部と、この基材部に連結された柄部と、この柄部に連結された把手部と、を備えて成ることを特徴とする清掃用具。
【請求項２】
片面に多数の刷毛材が植設されたブラシ基台部と、このブラシ基台部に連結された柄部と、この柄部に連結された把手部とを備えて成り、前記ブラシ基台部の毛材植設面とは反対側の面に、輪状に形成されたループ状線材が多数植設されている副清掃用具と、
請求項１に記載の清掃用具と、から成ることを特徴とする清掃用具セット。
【請求項３】
柄部が、可撓性材料で長尺に形成されていることを特徴とする請求項１に記載の清掃用具。
【請求項４】
先端を折り返されて形成された鉤状線材が多数立設された基材部が、フック型係合素子が帯布材に多数植設された面ファスナのフック材であることを特徴とする請求項１から請求項３のいずれか一項に記載の清掃用具。
【発明の詳細な説明】
【技術分野】
【０００１】
本発明は、浴室や洗面台などを掃除するための清掃用具に係り、詳しくは浴室などに堆積した毛髪などを取り除くことのできる清掃用具および清掃用具セットに関するものである。
【背景技術】
【０００２】
一般に、浴室の排水口には、毛髪などを排水管へ流さぬように受け止める排水目皿が設置されている。洗髪時に抜け落ちた毛髪は皮膚アカやシャンプーカスとともに排水目皿で捕捉される。この排水目皿上の毛髪などは清掃時に取り除かれるが、皮膚アカなどを伴うので例え同じ家族のものであっても、素手で取り扱うのは気味悪いものである。一方で、排水目皿を通過して排水管内に流された毛髪などは、曲折したトラップ管に留まって堆積することがある。
【０００３】
そこで、そのように排水管内に堆積した毛髪を取り出すための清掃用具が、下記の特許文献１に記載されている。この清掃用具は、棒の先端に糊を塗り、その糊にオガ屑を付着させて乾燥させたものである。この清掃用具では、棒を手で持ち、先端のオガ屑乾燥部を排水管内に挿入し、堆積している毛髪などをオガ屑に絡めさせて取り出そうとするものである。
【先行技術文献】
【特許文献】
【０００４】
【特許文献１】特開２００２−８８８５７号公報
【発明の概要】
【発明が解決しようとする課題】
【０００５】
ところで、上記した公報記載の清掃用具は、糊塗布工程、オガ屑付着工程および乾燥工程といったように、製造工程が込み入っており、構成が複雑で手間およびコストが高くつくという問題がある。また、把手を含む部分が棒で構成されているため、トラップ管のように屈曲している管では、その奥部までオガ屑乾燥部を押し進めることができず、奥部に堆積している毛髪を取り出せないという問題もある。そして、オガ屑は木質繊維で構成されているので、トラップ管内に溜まっている水に浸されると、膨潤して柔らかくなり毛髪を確実に絡め取れないおそれもある。
【０００６】
本発明は、上記した従来の問題点に鑑みてなされたものであって、簡素な構成により安価に実現され、排水目皿や排水管内に堆積した毛髪などを確実に除去することのできる清掃用具および清掃用具セットの提供を目的とする。
【課題を解決するための手段】
【０００７】
上記目的を達成するために、本発明に係る清掃用具は、先端を折り返されて形成された鉤状線材が多数立設された基材部と、この基材部に連結された柄部と、この柄部に連結された把手部と、を備えて成ることを特徴とするものである。
【０００８】
また、本発明に係る清掃用具セットは、片面に多数の刷毛材が植設されたブラシ基台部と、このブラシ基台部に連結された柄部と、この柄部に連結された把手部とを備えて成り、前記ブラシ基台部の毛材植設面とは反対側の面に、輪状に形成されたループ状線材が多数植設されている副清掃用具と、請求項１に記載の清掃用具と、から成ることを特徴とするものである。
【０００９】
そして、請求項１の構成において、柄部が可撓性材料で長尺に形成されていることを特徴とするものである。
【００１０】
更に、前記した各清掃用具において、先端を折り返されて形成された鉤状線材が多数立設された基材部が、フック型係合素子が帯布材に多数植設された面ファスナのフック材であることを特徴とするものである。
【発明の効果】
【００１１】
本発明に係る清掃用具によれば、先端を折り返されて形成された多数の鉤状線材が多数立設された基材部を備えているので、これら多数の鉤状線材の先端に毛髪を引っ掛けて排水目皿などから手で触ることなく確実に除去することができる。また、鉤状線材を有する基材部、柄部および把手部から成る簡素な構成であるので、安価に提供できる。
【００１２】
また、本発明に係る清掃用具セットによれば、多数のループ状線材を有する副清掃用具と、多数の鉤状線材を有する清掃用具とから構成されているので、清掃用具は前述のように多数の鉤状線材を用いて毛髪を除去でき、副清掃用具はループ状線材を用いて、傷が付きやすい物の表面の汚れをソフトに除去することができる。また、不使用時は、清掃用具の鉤状線材と副清掃用具のループ状線材を係合させることにより、これらをセットでコンパクトな一体的商品として取り扱うことができる。
【００１３】
そして、請求項１に記載の清掃用具において、柄部が可撓性材料で長尺に形成されているものでは、この柄部を曲げて使用することができる。これにより、曲折しているトラップ管の奥部にも、鉤状線材を到達させることができ、その場所に堆積していた毛髪などを引っ掛けて確実に取り出すことができる。
【００１４】
更に、鉤状線材が多数立設された基材部が面ファスナのフック材で構成されたものでは、入手容易で比較的安価な面ファスナの部材を転用できるので、よりいっそう手軽に安く製作でき、使い捨て用途として好適となる
【図面の簡単な説明】
【００１５】
【図１】本発明の実施形態１に係る清掃用具の外観図である。
【図２】前記清掃用具の側面図である。
【図３】前記清掃用具を使用する態様を示す説明図である。
【図４】図３に対応した拡大部分断面図である。
【図５】本発明の実施形態２に係る副清掃用具の側面図である。
【図６】実施形態２の副清掃用具の平面図である。
【図７】前記副清掃用具を含む清掃用具セットの側面図である。
【図８】本発明の実施形態３に係る清掃用具の平面図である。
【図９】実施形態３の清掃用具の要部を示す部分拡大側面図である。
【図１０】図９におけるＡ−Ａ線矢視断面図である。
【図１１】実施形態３の清掃用具を使用する態様を示す説明図である。
【発明を実施するための形態】
【００１６】
本発明の実施形態を図面に基づいて説明する。尚、以下に述べる実施形態はいずれも本発明を具体化した一例に過ぎず、本発明の技術的範囲を限定するものでない。
実施形態１．
図１は本発明の実施形態１に係る清掃用具の外観図を示し、図２は実施形態１の清掃用具の側面図を示している。
各図において、この実施形態に係る清掃用具１は、使い捨て歯ブラシ様の形態を成す用具本体２と、用具本体２の先端側の片面に両面テープなどの接着材層１０を介して固着された髪取り材７と、から構成されている。前記の用具本体２は、一方の面である毛材植設面３Ａに複数の植穴３Ｃ，３Ｃ，３Ｃ，・・・が形成されたブラシ基台部３と、このブラシ基台部３に一体に連結されている柄部４と、この柄部４に一体に連結されている把手部５と、ブラシ基台部３の植穴３Ｃ，３Ｃ，３Ｃ，・・・にブリッスル束として植設された多数の刷毛材６，６，６，・・・と、から構成されている。
【００１７】
用具本体２におけるブラシ基台部３の毛材植設面３Ａと反対側面３Ｂには、先述の髪取り材７が固着されている。髪取り材７は、ナイロン繊維などで織成された基材部８と、基材部８に立設されていて先端９Ａが折り返された多数の鉤状線材９，９，９，・・・と、から構成されている。各鉤状線材９は、基材部８にナイロンモノフィラメントをパイル織りした後にループカットする汎用製法により形成されたもので構わない。すなわち、髪取り材７は面ファスナのフック材２０を転用することができる。その場合、鉤状線材９は面ファスナのフック型係合素子に相当し、基材部８は面ファスナの帯布材に相当する。無論、面ファスナのフック材２０を用いなくても、本発明は実現され得る。例えば、用具本体２のブラシ基台部３の反対側面３Ｂに植設用の穴を多数穿設しておき、それらの穴に個々に鉤状線材９を植設すればよい。その場合、ブラシ基台部３が、本発明に云うところの基材部となる。
【００１８】
上記のように構成された清掃用具１の作用を次に説明する。
この清掃用具１では、図３および図４に示すように、洗面台や浴室床Ｋのガンコな汚れを除去する際に、把手部５を手Ｔで持って下向きにした刷毛材６，６，６，・・・を押し付けてゴシゴシと強く擦られる。一方、浴室床Ｋにある排水口Ｊのリング枠Ｌに装着された排水目皿Ｍ上に溜まった毛髪Ｈを取り除く場合は、髪取り材７が下向きにされ、排水目皿Ｍ上を擦られる。これにより、鉤状線材９，９，９，・・・は毛髪Ｈを引っ掛けて絡みつかせて排水目皿Ｍ上から除去する。
【００１９】
以上のように構成された清掃用具１によれば、排水目皿Ｍ上にある毛髪Ｈを手Ｔで触ることなく鉤状線材９，９，９，・・・で引っ掛けて確実に取り除くことができる。また、鉤状線材９を有する基材部８、柄部４および把手部５から成る簡素な構成であるので安価に製作できる。このように非常に安価に製作できるので、皮膚アカなどを伴う毛髪Ｈを絡め取ったのちに、そのまま使い捨てにしたとしても値段に見合うものである。
【００２０】
実施形態２．
前記の清掃用具１に加えて、ソフトな擦り掃除ができる用具を備えたものも、本発明に含まれる。そのような擦り掃除用の副清掃用具１５を図５および図６に示す。この副清掃用具１５は、用具本体２と、用具本体２のブラシ基台部３の反対側面３Ｂおよび把手部５の片面５Ａにそれぞれ接着材層１０を介して固着された髪取り材１６，１６と、から構成されている。各髪取り材１６は、ナイロン繊維などで織成された基材部８と、基材部８にナイロンマルチフィラメントでパイル編みにより編成されたループ状線材１７，１７，１７，・・・と、から構成されている。すなわち、各髪取り材１６は安価な面ファスナのループ材２１を転用できる。その場合、ループ状線材１７は面ファスナのループ型係合素子に相当し、基材部８は面ファスナの帯布材に相当する。そして、各図に示した用具本体２は、実施形態１で示したものと同じ構造である。この副清掃用具１５と組み合わせられて清掃用具セット１８が構成される。
【００２１】
上記のように構成された清掃用具セット１８の作用を次に説明する。
清掃用具１および副清掃用具１５の刷毛材６，６，６，・・・は、ガンコな汚れを落とすためにゴシゴシと力を入れて使用され、清掃用具１の髪取り材７は、前述したように、浴室などに残された毛髪Ｈを取り除くために使用される。そして、副清掃用具１５の両端の髪取り材１６，１６は、刷毛材６，６，６，・・・を用いた場合に傷つきやすい物（例えば、プラスチック製品など）の表面汚れをソフトに除去するために使用される。
【００２２】
以上のように構成された清掃用具セット１８の副清掃用具１５によれば、柔らかいループ状線材１７，１７，１７，・・・を有する髪取り材１６を用いて被清掃物の表面汚れをソフトに除去することができる。また、把手部５には刷毛材６，６，６，６・・・が配備されていないので嵩張らない。従って、狭い隙間でも把手部５を差し入れることができ、その髪取り材１６でソフトな掃除ができる。
【００２３】
また、清掃用具セット１８は、清掃用具１および副清掃用具１５の双方を使用しないときに、図７に示すように、副清掃用具１５を天地反転させて前後いずれかの髪取り材１６が、清掃用具１の髪取り材７と対向され、そのまま押し付けられることにより、髪取り材７の鉤状線材９，９，９，…が髪取り材１６のループ状線材１７，１７，１７，・・・と係合して固定される。これにより、これらをセットで一体商品として取り扱うことができ、商品形態もコンパクトになる。
更に、前後の髪取り材１６，１６の基材部８，８の長さの合計が髪取り材７ａの基材部８の長さに匹敵するように、髪取り材１６，１６の長さを設定してあるので、互いに対を成す面ファスナのフック材２０とループ材２１とを１セットにつき同じ長さだけ使用できるから、面ファスナの構成部品を、捨てることなく無駄なく利用できるという効果もある。
【００２４】
実施形態３．
尚、上記の実施形態では、清掃用具として使い捨てタイプのものを例示したが、本発明はそれに限定されるものでない。例えば、図８〜図１０に示すような清掃用具１ａも、本発明に含まれる。
この清掃用具１ａは、合成樹脂製の把手部５ａと、把手部５ａに連結された長尺の柄部４ａと、柄部４ａの先端に固着された髪取り材７ａと、から構成されている。柄部４ａはポリエチレンパイプなどの可撓性材料で形成されており、弾性的にまたは塑性的に曲がるようになっている。そして、髪取り材７ａは、ナイロン繊維などで織成された基材部８ａと、基材部８ａに立設されていて先端９Ａが折り返されて形成された多数の鉤状線材９，９，９，・・・と、から構成されている。基材部８ａには、平坦な状態で、鉤状線材９とは反対側の面全体に接着材層１０（両面粘着テープ）の片面が貼り付けられる。そして、柄部４ａの先端部に、髪取り材７ａおよび接着材層１０が巻き付けられて固着される。このとき、基材部８ａの両側の側辺８ｂ，８ｂは接着材層１０，１０同士を重ね合わせて接着され、基材部８ａの先端辺８ｃ，８ｃも接着材層１０，１０同士を重ね合わせて接着される。尚、この髪取り材７ａも面ファスナのフック材２０を転用できる。
【００２５】
上記のように構成された清掃用具１ａの作用を次に説明する。清掃用具１ａは、図１１に示すように、洗面台Ｎの排水管Ｐの掃除に用いられる。この場合、把手部５ａを手で持って髪取り材７ａを排水管Ｐ内に挿入し進めていくと、柄部４ａは排水管Ｐの管内形状に沿って変形し、屈曲しているトラップ部Ｑの奥側にも髪取り材７ａが到達する。そして、その場所に多く堆積している毛髪Ｈに、髪取り材７ａの鉤状線材９，９，９，・・・が引っ掛かり、毛髪Ｈを絡めて捕捉する。その後、把手５ａを引き上げると、柄部４ａが引き出され、更に髪取り材７ａが毛髪Ｈを伴って取り出されるのである。
【００２６】
以上のように構成された清掃用具１ａによれば、全てが合成樹脂製であるという軽量、簡素で安価な構成であるにも拘わらず、入り組んだ管路内に留まっている毛髪Ｈであっても確実に捕捉して取り出すことができる。
【００２７】
尚、上記では、髪取り材７，７ａとして面ファスナのフック材２０を転用するようにしたが、本発明では必ずしも面ファスナの部材を用いなくてよい。例えば、清掃用具１の用具本体２のブラシ基台部３または清掃用具１ａの柄部４ａの先端部に、直に鉤状線材９，９，９，・・・を立設したものでも構わない。
また、上記では、接着材層として両面接着テープを利用したが、それに替えて、例えば粘液状の接着剤などを用いたり熱融着を施したりしても構わない。
【符号の説明】
【００２８】
１，１ａ  清掃用具
３  ブラシ基台部
３Ａ  毛材植設面
３Ｂ  反対側面
４，４ａ  柄部
５，５ａ  把手部
６  刷毛材
７，７ａ  髪取り材
８，８ａ  基材部
９  鉤状線材
９Ａ  先端
１０  接着材層
１５  副清掃用具
１６  髪取り材
１７  ループ状線材
１８  清掃用具セット
２０  フック材
２１  ループ材
Ｈ  毛髪
【図１】
2015205082.tif 000003
【図２】
2015205082.tif 000004
【図３】
2015205082.tif 000005
【図４】
2015205082.tif 000006
【図５】
2015205082.tif 000007
【図６】
2015205082.tif 000008
【図７】
2015205082.tif 000009
【図８】
2015205082.tif 000010
【図９】
2015205082.tif 000011
【図１０】
2015205082.tif 000012
【図１１】
2015205082.tif 000013